(57)【要約】【課題】カラー用のイメージセンサと白黒用のイメージセンサとを備えた画像形成装置において、同一の原稿の画像を白黒とカラーとで画像形成する場合に原稿の読み取り回数を一回にすることができる画像形成装置を提供する。【解決手段】操作パネル部４７によって白黒設定のみが受け付けられた場合、白黒用撮像素子５６によって読み取られた白黒画像を画像形成部４によって用紙に形成させ、操作パネル部４７によって白黒設定とカラー設定とが受け付けられた場合、カラー用撮像素子５７によって原稿の画像をカラー画像として読み取らせた後、当該カラー画像を画像形成部４によって用紙に形成させると共に、カラー用撮像素子５７により読み取られたカラー画像を画像変換部１０２によって白黒画像に変換させ、画像変換部１０２により変換された白黒画像を画像形成部４によって他の用紙に形成させる画像形成制御部１０１を備えた。【選択図】図４
2009037040.tif 000002
【特許請求の範囲】
【請求項１】
原稿の画像を白黒画像として読み取る白黒用読取部と、
原稿の画像をカラー画像として読み取るカラー用読取部と、
前記カラー用読取部によって読み取られたカラー画像を、白黒画像に変換する画像変換部と、
用紙に画像を形成する画像形成部と、
前記画像形成部による画像形成を、白黒画像で行わせる白黒設定及びカラー画像で行わせるカラー設定のうち、少なくとも一つの設定を受け付ける設定受付部と、
前記設定受付部によって前記白黒設定のみが受け付けられた場合、前記白黒用読取部によって前記原稿の画像を白黒画像として読み取らせた後、当該読み取られた白黒画像を前記画像形成部によって用紙に形成させ、前記設定受付部によって前記白黒設定と前記カラー設定とが受け付けられた場合、前記カラー用読取部によって前記原稿の画像をカラー画像として読み取らせた後、当該カラー用読取部により読み取られたカラー画像を前記画像形成部によって用紙に形成させると共に、当該カラー用読取部により読み取られたカラー画像を前記画像変換部によって白黒画像に変換させ、当該画像変換部により変換された白黒画像を前記画像形成部によって他の用紙に形成させる画像形成制御部と
を備えることを特徴とする画像形成装置。
【請求項２】
前記設定受付部は、さらに、前記受け付けられた設定毎に当該設定に基づく複写部数の設定を受け付け、
前記画像形成制御部は、当該設定毎に前記設定受付部によって受け付けられた複写部数の画像形成を、前記画像形成部によって行わせること
を特徴とする請求項１記載の画像形成装置。
【請求項３】
前記カラー用読取部は、前記原稿の画像をＲ、Ｇ、Ｂの色成分毎の画像データとして取得し、
前記画像変換部は、前記カラー用読取部によって取得された前記色成分毎の画像データのうち、いずれか一つに基づいて、前記白黒画像を生成すること
を特徴とする請求項１又は２に記載の画像形成装置。
【発明の詳細な説明】
【技術分野】
【０００１】
本発明は、白黒画像とカラー画像とを用紙に画像形成することができる画像形成装置に関する。
【背景技術】
【０００２】
従来、カラー複写機等の画像形成装置は、画像形成を白黒で行うかカラーで行うかを設定可能にされている。このような画像形成装置を用いて、同一の原稿を、白黒とカラーとで複写する場合、ユーザが白黒の設定操作を行って、白黒で原稿の複写を行った後、もう一度原稿をセットし直してカラーの設定操作を行い複写を行うのは不便である。そこで、同一の原稿画像に対して白黒の設定とカラーの設定とを同時に設定可能とし、１回読み取った原稿の画像に基づき、白黒での複写とカラーでの複写とを行うことができる複写機が提案されている（例えば、特許文献１参照。）。
【０００３】
また、カラー画像を読み取るイメージセンサは、白黒画像を読み取るイメージセンサより、画像の読み取りに時間がかかる。これは、カラー画像を読み取るイメージセンサでは、カラーフィルタによる受光光量の減少を補うため、カラーフィルタを必要としない白黒用のイメージセンサよりも露光時間を増大させる必要があるからである。
【０００４】
そのため、カラー複写機のうち、画像形成が高速のいわゆる高速機と呼ばれる装置では、カラー用のイメージセンサとは別に白黒用のイメージセンサを備えたものが知られている。このような画像形成装置は、白黒画像の読み取りを行う際には、画像の読み取りが高速な白黒用のイメージセンサを用いることで、白黒画像の読み取り時間を短縮するようにしている。
【特許文献１】特開平１０−３１９７９０号公報
【発明の開示】
【発明が解決しようとする課題】
【０００５】
しかしながら、上述のように、白黒画像の読み取りに白黒用のイメージセンサを用いるカラー複写機では、もし仮に特許文献１に記載の複写機のように、同一の原稿画像に対して白黒の設定とカラーの設定とを同時に設定した場合、白黒用のイメージセンサで白黒画像を読み取った後に再びカラー用のイメージセンサでカラー画像の読み取りを行わなければならず、原稿の読み取りに時間がかかるという不都合があった。
【０００６】
特に非循環型の自動原稿送り装置を用いる場合は、原稿を二回読み取るために、一回原稿を読み取った後、ユーザがもう一度原稿を自動原稿送り装置にセットしなければならず、不便である。一方循環型の自動原稿送り装置を用いれば、ユーザによる原稿の再セットは不要となるが、原稿を二回循環させることによる原稿の損傷が増大したり、原稿の読み取り時間が増大したりするという不都合があった。
【０００７】
本発明は、このような事情に鑑みて為された発明であり、カラー用のイメージセンサと白黒用のイメージセンサとを備えた画像形成装置において、同一の原稿の画像を白黒とカラーとで画像形成する場合に原稿の読み取り回数を一回にすることができる画像形成装置を提供することを目的とする。
【課題を解決するための手段】
【０００８】
本発明に係る画像形成装置は、原稿の画像を白黒画像として読み取る白黒用読取部と、原稿の画像をカラー画像として読み取るカラー用読取部と、前記カラー用読取部によって読み取られたカラー画像を、白黒画像に変換する画像変換部と、用紙に画像を形成する画像形成部と、前記画像形成部による画像形成を、白黒画像で行わせる白黒設定及びカラー画像で行わせるカラー設定のうち、少なくとも一つの設定を受け付ける設定受付部と、前記設定受付部によって前記白黒設定のみが受け付けられた場合、前記白黒用読取部によって前記原稿の画像を白黒画像として読み取らせた後、当該読み取られた白黒画像を前記画像形成部によって用紙に形成させ、前記設定受付部によって前記白黒設定と前記カラー設定とが受け付けられた場合、前記カラー用読取部によって前記原稿の画像をカラー画像として読み取らせた後、当該カラー用読取部により読み取られたカラー画像を前記画像形成部によって用紙に形成させると共に、当該カラー用読取部により読み取られたカラー画像を前記画像変換部によって白黒画像に変換させ、当該画像変換部により変換された白黒画像を前記画像形成部によって他の用紙に形成させる画像形成制御部とを備える。
【０００９】
この構成によれば、設定受付部によって白黒設定のみが受け付けられた場合、白黒用読取部によって原稿の画像が白黒画像として読み取られた後、当該読み取られた白黒画像が画像形成部によって用紙に形成されるので、白黒の画像形成を行う際には白黒用読取部によって原稿の画像が読み取られる結果、原稿の読み取り時間を短縮することが容易となる。また、設定受付部によって白黒設定とカラー設定とが受け付けられた場合、カラー用読取部によって原稿の画像がカラー画像として読み取られた後、当該カラー用読取部により読み取られたカラー画像が画像形成部によって用紙に形成されると共に、当該カラー用読取部により読み取られたカラー画像が画像変換部によって白黒画像に変換され、当該画像変換部により変換された白黒画像が画像形成部によって他の用紙に形成されるので、同一の原稿の画像を白黒とカラーとで画像形成する場合に原稿の読み取り回数を一回にすることができる。
【００１０】
また、前記設定受付部は、さらに、前記受け付けられた設定毎に当該設定に基づく複写部数の設定を受け付け、前記画像形成制御部は、当該設定毎に前記設定受付部によって受け付けられた複写部数の画像形成を、前記画像形成部によって行わせることが好ましい。
【００１１】
この構成によれば、白黒による画像形成部数とカラーによる画像形成部数とをそれぞれ設定することができるので、利便性が向上する。
【００１２】
また、前記カラー用読取部は、前記原稿の画像をＲ、Ｇ、Ｂの色成分毎の画像データとして取得し、前記画像変換部は、前記カラー用読取部によって取得された前記色成分毎の画像データのうち、いずれか一つに基づいて、前記白黒画像を生成することが好ましい。
【００１３】
この構成によれば、カラーから白黒に変換するデータ量が減少するので、画像変換部によるカラーから白黒への画像変換処理量を減少させることができる。そして、画像変換処理量を減少させることができれば、画像変換部として演算性能が低く、従って低コストのものを用いたり、カラーから白黒への画像変換時間を短縮したりすることが容易となる。
【発明の効果】
【００１４】
このような構成の画像形成装置は、設定受付部によって白黒設定のみが受け付けられた場合、白黒用読取部によって原稿の画像が白黒画像として読み取られた後、当該読み取られた白黒画像が画像形成部によって用紙に形成されるので、白黒の画像形成を行う際には白黒用読取部によって原稿の画像が読み取られる結果、原稿の読み取り時間を短縮することが容易となる。また、設定受付部によって白黒設定とカラー設定とが受け付けられた場合、カラー用読取部によって原稿の画像がカラー画像として読み取られた後、当該カラー用読取部により読み取られたカラー画像が画像形成部によって用紙に形成されると共に、当該カラー用読取部により読み取られたカラー画像が画像変換部によって白黒画像に変換され、当該画像変換部により変換された白黒画像が画像形成部によって他の用紙に形成されるので、同一の原稿の画像を白黒とカラーとで画像形成する場合に原稿の読み取り回数を一回にすることができる。
【発明を実施するための最良の形態】
【００１５】
以下、本発明に係る実施形態を図面に基づいて説明する。なお、各図において同一の符号を付した構成は、同一の構成であることを示し、その説明を省略する。図１は、本発明の一実施形態に係る画像形成装置の一例である複写機の内部構成を概略的に示す側面図である。図２は、図１に示す複写機１の電気的構成の一例を示すブロック図である。なお、画像形成装置は、複写機に限られず、例えばプリンタやファクシミリ、あるいはこれらを複合した複合機等であってもよい。
【００１６】
複写機１は、本体部２と、本体部２の左方に配設されたスタックトレイ３と、本体部２の上部に配設された原稿読取部５と、原稿読取部５の上方に配設された原稿給送部６と、本体部２の内部に配設された制御部１００とを有している。また、複写機１のフロント部には、略長方形の操作パネル部４７（設定受付部）が設けられている。
【００１７】
操作パネル部４７は、ＬＣＤ（Liquid Crystal Display）等からなる表示部４７３と、操作者から操作指示が入力される操作キー部４７６とを備える。操作キー部４７６は、スタートボタン４７１、及びテンキー４７２（設定受付部）等を備える。
【００１８】
スタートボタン４７１は、コピー動作やスキャン動作等の各動作を開始させる指示を操作者から受け付ける。テンキー４７２は、コピー部数を指定する指示等を操作者から受け付けるキースイッチである。
【００１９】
表示部４７３は、タッチパネルとＬＣＤとを組み合わせたタッチパネルユニット等から構成される。表示部４７３は、種々の操作画面を表示すると共に、操作者が表示画面（表示されている操作キー）を押圧することで種々の設定や機能の実行指令を入力することが可能とされている。
【００２０】
原稿読取部５の上面には、ガラス等の透明部材により構成された原稿台５２及び原稿読取スリット５３が配設されている。そして、原稿読取部５は、原稿台５２及び原稿読取スリット５３の下部に、原稿台５２や原稿読取スリット５３を介して原稿に照明光を照射し、その反射光を受光する走査部５１と、走査部５１で得られた原稿画像を反射するミラーユニット５４と、ミラーユニット５４からの原稿画像を集光する結像レンズ５５と、結像レンズ５５で結像された原稿画像を光電変換する白黒用撮像素子５６（白黒用読取部）とカラー用撮像素子５７（カラー用読取部）とを備えて構成されている。
【００２１】
走査部５１は、例えば図略のステッピングモータによって、副走査方向に駆動されるようになっている。そして、走査部５１が速度Ｖで、ミラーユニット５４が速度Ｖ／２で、図１の左右方向、すなわち副走査方向に変位することで、原稿台５２に載置されたブック物や１枚物の原稿画像が、常に等しい光路長で白黒用撮像素子５６とカラー用撮像素子５７とに結像される。
【００２２】
また、走査部５１は、原稿給送部６により給送された原稿を読み取るときは、原稿読取スリット５３と対向する位置に移動される。そして、走査部５１、ミラーユニット５４、及び結像レンズ５５によって、原稿画像が白黒用撮像素子５６とカラー用撮像素子５７に結像される。そして、白黒用撮像素子５６とカラー用撮像素子５７とは、原稿給送部６による原稿の搬送動作と同期して原稿の画像を取得し、その画像データを制御部１００へ出力する。
【００２３】
白黒用撮像素子５６は、白黒画像を読み取る撮像素子であり、カラー用撮像素子５７は、カラー画像を読み取る撮像素子である。白黒用撮像素子５６及びカラー用撮像素子５７は同一平面上に隣接して配設されている。白黒用撮像素子５６及びカラー用撮像素子５７は、例えばＣＣＤ（Charge Coupled Device）イメージセンサなどから成り、結像レンズ５５で結像された原稿画像により生じる電荷を蓄積することで得られた電圧により画像の明度を表す画像データを生成し、制御部１００へ出力する。カラー用撮像素子５７は、カラー画像をＲ、Ｇ、Ｂの色成分毎の画像データとして制御部１００へ出力する。
【００２４】
走査部５１は、冷陰極管５１１と、冷陰極管５１１から放射された光を原稿台５２及び原稿読取スリット５３方向に照射する反射板５１２と、原稿から原稿台５２や原稿読取スリット５３を透過して得られた反射光をミラーユニット５４へ反射するミラー５１３とを備えて構成されている。また、冷陰極管５１１、反射板５１２、ミラー５１３、ミラーユニット５４、結像レンズ５５、白黒用撮像素子５６及びカラー用撮像素子５７は、主走査方向に原稿台５２、及び原稿読取スリット５３の幅以上に延設されている。
【００２５】
原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出するための給紙ローラ（図略）、搬送ローラ（図略）等からなる原稿搬送機構６３を備える。原稿搬送機構６３は、さらに原稿を表裏反転させて原稿読取スリット５３と対向する位置へ再搬送する用紙反転機構（図略）を備え、原稿の両面の画像を原稿読取スリット５３を介して走査部５１から読取可能にしている。
【００２６】
また、原稿給送部６は、その前面側が上方に移動可能となるように本体部２に対して回動自在に設けられている。原稿給送部６の前面側を上方に移動させて原稿台５２上面を開放することにより、原稿台５２の上面に読み取り原稿、例えば見開き状態にされた書籍等をユーザが載置できるようになっている。
【００２７】
本体部２は、手差トレイ４６０、複数の給紙カセット４６１、複数の給紙ローラ４６２、画像形成部４、排出トレイ４８、及び制御部１００等を備える。画像形成部４は、像形成部４０、定着部４５、及び画像形成部４内の用紙搬送路中に設けられた種々の搬送ローラ等からなる用紙搬送部４６等を備える。像形成部４０は、露光装置４２、感光体ドラム４３、イエロー、マゼンタ、シアン、ブラックの各色用の現像装置４４Ｙ，４４Ｍ，４４Ｃ，４４Ｋ、中間転写体ローラ４９、及び転写ローラ４１を備える。
【００２８】
感光体ドラム４３は、矢印方向に回転しながら帯電装置（図示省略）によって一様に帯電される。露光装置４２は、原稿読取部５において読み取られた原稿の画像データに基づいて生成された変調信号をレーザ光に変換して出力し、感光体ドラム４３に各色別に静電潜像を形成する。現像装置４４Ｙ，４４Ｍ，４４Ｃ，４４Ｋは、各色の現像剤を感光体ドラム４３に供給して各色別のトナー画像を形成する。中間転写体ローラ４９には、感光体ドラム４３から各色のトナー像が転写され、中間転写体ローラ４９上にカラーのトナー像が形成される。
【００２９】
一方、給紙ローラ４６２は、印刷用紙が収納された手差トレイ４６０や給紙カセット４６１から用紙を引き出し、転写ローラ４１まで給送する。転写ローラ４１は、搬送された印刷用紙に中間転写体ローラ４９上のトナー像を転写させ、定着部４５は、転写されたトナー像を加熱して印刷用紙に定着させる。その後、印刷用紙は、本体部２の排出口２０９からスタックトレイ３へ排出される。また、印刷用紙は、必要に応じて排出トレイ４８へも排出される。
【００３０】
また、印刷用紙の両面に画像を形成する場合は、画像形成部４で用紙の一方の面に画像を形成した後、この印刷用紙を排出トレイ４８側の搬送ローラ４６３にニップされた状態とする。この状態で搬送ローラ４６３を反転させて印刷用紙をスイッチバックさせ、印刷用紙を用紙搬送路Ｌに送って画像形成部４の上流域に再度搬送し、画像形成部４により他方の面に画像を形成した後、排出口２０９又は排出トレイ４８に排出する。
【００３１】
また、制御部１００には、原稿読取部５で読み取られた画像データ等が記憶されるＨＤＤ（Hard Disk Drive）７４が接続されている。このＨＤＤ７４には、ユーザからの画像形成実行指示が操作パネル部４７に受け付けられたときに、制御部１００からの制御信号に応じて、原稿読取部５で読み取られた原稿の画像のデータが記憶されるようになっている。なお、画像データは原稿読取部５で読み取られたものに限られず、例えば図略の通信インターフェイス回路によって、通信回線を介して外部に接続されたパーソナルコンピュータ等の端末装置から送信された画像データを取得するようにしてもよい。
【００３２】
制御部１００は、装置全体の動作制御を司るもので、例えば所定の演算処理を実行するＣＰＵ（Central Processing Unit）と、所定の制御プログラムが記憶されたＲＯＭ（Read Only Memory）と、データを一時的に記憶するＲＡＭ（Random Access Memory）と、これらの周辺回路等とを備えて構成されている。そして、制御部１００は、ＲＯＭに記憶された制御プログラムを実行することにより、画像形成制御部１０１及び画像変換部１０２として機能する。
【００３３】
画像変換部１０２は、カラー用撮像素子５７から出力されたカラー画像データを、白黒画像を表す白黒画像データに変換し、ＨＤＤ７４に記憶させる。なお、画像変換部１０２は、カラー用撮像素子５７から出力されたＲ、Ｇ、Ｂの色成分毎の画像データのうち、いずれか一つに基づいて白黒画像データを生成するようにしてもよい。この場合、処理対象のデータ量が減少するので、画像変換部１０２の処理を減少させることができる。
【００３４】
画像形成制御部１０１は、操作パネル部４７によって受け付けられた各種設定や操作指示に応じて、原稿読取部５や画像形成部４等、複写機１の各部の動作を制御して、手差トレイ４６０や給紙カセット４６１に収容された印刷用紙に原稿の画像を形成させる。
【００３５】
具体的には、画像形成制御部１０１は、操作パネル部４７によって白黒設定のみが受け付けられた場合、白黒用撮像素子５６によって原稿の画像を白黒画像として読み取らせた後、当該読み取られた白黒画像を画像形成部４によって用紙に形成させる。これにより、カラー用撮像素子５７によって、原稿画像の読み取りを行わせる場合よりも、画像の読み取り時間を短縮することができる。
【００３６】
また、画像形成制御部１０１は、操作パネル部４７によって同一の原稿に対する設定として、白黒設定とカラー設定とが受け付けられた場合、カラー用撮像素子５７によって原稿の画像をカラー画像として読み取らせた後、当該カラー用撮像素子５７により読み取られたカラー画像を画像形成部４によって用紙に形成させると共に、当該カラー用撮像素子５７により読み取られたカラー画像データを画像変換部１０２によって白黒画像データに変換させる。そして、画像形成制御部１０１は、画像変換部１０２により生成された白黒画像データに基づいて、画像形成部４によって原稿の白黒画像を用紙に形成させる。
【００３７】
これにより、同一の原稿の画像を白黒とカラーとで画像形成する場合に原稿の読み取り回数を一回にすることができる。
【００３８】
次に、このように構成された複写機１の動作について説明する。図３は、図１に示す表示部４７３に表示される表示画面の一例を示す画面図である。図３に示す表示画面Ｇ１には、画面左側から順に、画像形成をカラーで行うか白黒で行うかの設定を受け付けるカラー設定部７０１（設定受付部）と、両面または片面印刷の選択設定を受け付ける両面選択設定部７０２と、印刷濃度の設定を受け付ける濃度設定部７０３と、印刷倍率（拡縮率）の設定を受け付ける倍率設定部７０４と、印刷用紙の選択設定を受け付ける用紙選択部７０５とが表示されている。
【００３９】
カラー設定部７０１には、カラー印刷を設定するカラーボタン７３１と、白黒印刷を設定する白黒ボタン７３２とが表示されている。
【００４０】
両面選択設定部７０２には、例えば、画像形成部４による片面印刷を指示する片面ボタン７３５と、画像形成部４による両面印刷を指示する両面ボタン７３６とが表示されている。用紙選択部７０５には、手差トレイ４６０及び給紙カセット４６１をそれぞれ選択する用紙選択ボタン７３７〜７４０が表示されている。また、用紙選択ボタン７３７〜７４０には、用紙サイズを検出する図略の用紙サイズ検出センサによって検出された用紙サイズがそれぞれ表示されている。
【００４１】
また、図３に示す表示画面Ｇ１には、同一の原稿画像に対して複数種類の設定を行う複数設定ボタン７０６が表示されている。
【００４２】
図４は、図２に示す複写機１の動作の一例を示すフローチャートである。まず、ユーザが原稿を原稿載置部６０１に載置する。そして、ユーザが白黒で原稿を複写したい場合には、図３に示す表示画面Ｇ１において、ユーザが白黒ボタン７３２を押圧し、スタートボタン４７１を押圧すると、画像形成制御部１０１によって白黒設定のみが受け付けられ（ステップＳ１でＹＥＳ）、画像形成制御部１０１からの制御信号に応じて、原稿載置部６０１に載置されている原稿の画像が原稿読取部５における白黒用撮像素子５６によって読み取られ、その白黒画像データがＨＤＤ７４に記憶される（ステップＳ２）。
【００４３】
次に、画像形成制御部１０１からの制御信号に応じて、画像形成部４によって、ＨＤＤ７４に記憶されている原稿の白黒画像データに基づいて、用紙に原稿の白黒画像が形成される（ステップＳ３）。この場合、露光時間がカラー用撮像素子５７より短い白黒用撮像素子５６によって、原稿の画像が読み取られるので、原稿画像の読み取り時間を短縮することができる。
【００４４】
また、ユーザがカラーで原稿を複写したい場合には、図３に示す表示画面Ｇ１において、ユーザがカラーボタン７３１を押圧し、スタートボタン４７１を押下すると、画像形成制御部１０１によって、カラー設定のみが受け付けられ（ステップＳ１でＮＯ、ステップＳ２でＹＥＳ）、画像形成制御部１０１からの制御信号に応じて、原稿載置部６０１に載置されている原稿の画像が原稿読取部５におけるカラー用撮像素子５７によって読み取られ、そのカラー画像データがＨＤＤ７４に記憶される（ステップＳ５）。
【００４５】
次に、画像形成制御部１０１からの制御信号に応じて、画像形成部４によって、ＨＤＤ７４に記憶されている原稿のカラー画像データに基づいて、用紙に原稿のカラー画像が形成される（ステップＳ６）。
【００４６】
また、ユーザが同一の原稿を、例えばカラーで２部、白黒で２部複写したい場合には、図３に示す表示画面Ｇ１において、例えばユーザがカラーボタン７３１を押圧し、テンキー４７２の「２」を押下した後、複数設定ボタン７０６を押圧してから白黒ボタン７３２を押圧し、さらにテンキー４７２の「２」を押下してからスタートボタン４７１を押下することにより、画像形成制御部１０１によって、同一原稿に対するカラーで２部、白黒で２部の設定が受け付けられる（ステップＳ１でＮＯ、ステップＳ４でＮＯ、ステップＳ７でＹＥＳ）。
【００４７】
そうすると、ステップＳ８において、画像形成制御部１０１からの制御信号に応じて、原稿載置部６０１に載置されている原稿の画像が原稿読取部５におけるカラー用撮像素子５７によって読み取られ、そのカラー画像データがＨＤＤ７４に記憶される（ステップＳ８）。
【００４８】
次に、画像形成制御部１０１からの制御信号に応じて、画像形成部４によって、ＨＤＤ７４に記憶されている原稿のカラー画像データと印刷部数の設定とに基づいて、原稿のカラー画像が２部、用紙に画像形成される（ステップＳ９）。
【００４９】
次に、画像変換部１０２によって、ＨＤＤ７４に記憶されている原稿のカラー画像データが白黒の画像データに変換されて画像形成部４へ出力される（ステップＳ１０）。そうすると、画像形成制御部１０１からの制御信号に応じて、画像形成部４によって、画像変換部１０２から出力された原稿の白黒画像データと印刷部数の設定とに基づいて、原稿の白黒画像が２部、用紙に画像形成される（ステップＳ１１）。
【００５０】
以上、ステップＳ８〜Ｓ１１の処理によれば、ステップＳ８において、カラー用撮像素子５７によって取得された画像データに基づいて、カラー画像による画像形成と白黒画像による画像形成とを行うことができるので、カラー画像データの読み取り後に、別途白黒画像の読み取りを行う必要がなくなり、同一の原稿の画像を白黒とカラーとで画像形成する場合に原稿の読み取り回数を一回にすることができる。
【図面の簡単な説明】
【００５１】
【図１】本発明の一実施形態に係る画像形成装置の一例である複写機の内部構成を概略的に示す側面図である。
【図２】図１に示す複写機の電気的構成の一例を示すブロック図である。
【図３】図１に示す表示部に表示される表示画面の一例を示す画面図である。
【図４】図２に示す複写機の動作の一例を示すフローチャートである。
【符号の説明】
【００５２】
１  複写機
２  本体部
３  スタックトレイ
４  画像形成部
５  原稿読取部
６  原稿給送部
４０  像形成部
４７  操作パネル部
５６  白黒用撮像素子
５７  カラー用撮像素子
１００  制御部
１０１  画像形成制御部
１０２  画像変換部
４７１  スタートボタン
４７２  テンキー
４７３  表示部
４７６  操作キー部
７０１  カラー設定部
７３１  カラーボタン
７３２  白黒ボタン
【図１】
2009037040.tif 000003
【図２】
2009037040.tif 000004
【図３】
2009037040.tif 000005
【図４】
2009037040.tif 000006